【手続補正書】
【提出日】平成18年3月13日(2006.3.13)
【手続補正１】
【補正対象書類名】明細書
【補正対象項目名】全文
【補正方法】変更
【補正の内容】
【書類名】        明細書    【発明の名称】    エアーマッサージ装置    【特許請求の範囲】 【請求項１】    複数のエアーバッグと、これらのエアーバッグに連通するエアー給排気装置と、該エアー給排気装置からの給排気を制御する制御部とを備えたエアーマッサージ装置であって、前記制御部には、複数のエアーバッグの内から指定したエアーバッグだけを稼動或いは休止させる駆動制御部が設けてある事を特徴とするエアーマッサージ装置。 【請求項２】 請求項１記載の駆動制御部には、前記エアーバッグの給排気稼動範囲を指定する給排気範囲設定手段に加え、前記エアーバッグの給排動作を設定する給排動作手段と、特定されたエアーバッグのみを膨縮させる給排動作位置手段と、エアーバッグに各種の運転モードに従った膨縮を行わせる給排気モード設定手段との何れかの手段が設けてある事を特徴とする請求項１記載のエアーマッサージ装置。 【請求項３】 請求項２記載の駆動制御部は、請求項２の手段に対応するスイッチを設けたリモートコントロールの指令により稼動するように構成した事を特徴とする請求項２記載のエアーマッサージ装置。 【請求項４】 請求項１乃至請求項３記載のエアーマッサージ装置は、座部と背凭れ部とを有する椅子や座部と背凭れ部と足載台を有する椅子である事を特徴とする請求項１乃至請求項３記載のエアーマッサージ装置。【発明の詳細な説明】      【０００１】    【発明の属する技術分野】  本発明は、エアーの給排気によって膨縮する複数のエアーバッグによって施療部をマッサージするようにするエアーマッサージ装置に関するものである。      【０００２】    【従来の技術】  従来のローラ式マッサージ装置は、ベッドや椅子等の内部にモータ等の駆動機構によりマッサージ用ローラを往復動させるようにした機械式マッサージ装置が内装されており、このマッサージ用ローラが施療部に当接しながら往復動するようにしたものがほとんであった。      【０００３】  しかし、このような従来のローラ式マッサージ装置では、内部に重量物でしかも硬性な材料で製作されたマッサージ機構を内装しているため、全体重量が重く運搬に不便であると共に、外形状も内部のマッサージ装置の形状に左右されるという問題が有った。      【０００４】  近年では、このような従来の問題点を解決すべく、マット部に複数のエアーバッグを配設し、エアー給排気装置で各エアーバッグに順次エアーを給排気するようにしたエアーローラと称すマット型エアーマッサージ装置や、椅子の背凭れ部内や座部にエアーバッグを配設する他、Ｗ字状に形成された足載台の両側にエアーバッグを配設し、エアー給排気装置で各エアーバッグに順次エアーを給排気するようにしたエアーチェアと称す椅子型エアーマッサージ装置（特開平７−１１６２１４号、特開平７−１２４２１２号、特開平７−１１４２１４号、特開平８−３３６５６４号、特開平８−３３６５６５号、特開平１０−１１８１４１号、特開平１１−９６３９号、他）が開発されており、これらは既に周知になっている。      【０００５】  すなわち、これらのものは、上記したように従来の機械式マッサージ機に比べて、全体重量が軽量で、どのような形状のものにも内装できると共に、折り畳み可能で持ち運び容易で��り、しかも、首部・肩部・背中部・腰部の他、臀部・尻部・大腿部や足のふくらはぎ部等に亘る広域範囲を、これらに対応するよう任意に配設されたエアーバッグを適宜に膨縮させることで、施療部を快適にマッサージできるという利点がある。      【０００６】    【発明が解決しようとする課題】  しかし、この種の従来のエアーマッサージ装置にあっては、複数のエアーバッグを順次膨縮させて施療部をマッサージする場合に、第一エアーバッグから順次膨縮を繰り返すようにしており、第一エアーバッグから最終のエアーバッグに膨縮を繰り返した後、第一エアーバッグに戻る膨縮を再度を行うか、または、第一エアーバッグから最終のエアーバッグに膨縮を繰り返した後、第一エアーバッグに戻って膨縮を再開させるという行程が繰り返されている。      【０００７】  従って、このように第一エアーバッグから最終のエアーバッグに膨縮を繰り返した後、第一エアーバッグに戻る膨縮又は第一エアーバッグに戻って膨縮を再開するため、エアーバッグに単純な往復膨縮マッサージか単純な一方向への膨縮マッサージしかできず、施療部の集中ポイントマッサージや、分割マッサージが行えないという問題があった。      【０００８】  また、このような第一エアーバッグから最終のエアーバッグに膨縮を繰り返すエアーマッサージ装置は、予め配置されたエアーバッグが全て膨縮を行うため、身長以上の範囲や要望以上の範囲のエアーバッグが膨縮してしまい、施療を要する部位へのエアーバッグによる膨縮を行わせるために、無駄な待ち時間を必要とすると共に、不要箇所のエアーバッグ膨縮に要する経済的無駄も生じていた。      【０００９】  本発明は、上記のような問題点に鑑みてなされたものであり、エアー給排気装置から給排されるエアー給排気を制御し、エアーバッグの膨縮量を適宜設定できるようにすると共に、要望する施療部位のみのエアーバッグを膨縮させるようにして無駄なエアーバッグの膨縮を省き、マッサージ効率の向上を図る事ができるエアーマッサージ装置を提供する事を目的とするものである。      【００１０】    【課題を解決するための手段】  すなわち、本発明のエアーマッサージ装置は、複数のエアーバッグと、これらのエアーバッグに連通するエアー給排気装置とを備えるエアーマッサージ装置であって、前記エアー給排気装置からの給排気を制御する制御手段（制御部）を設ける事を特徴とするものであり、前記制御手段（制御部）には、複数のエアーバッグの内から指定したエアーバッグだけを稼動或いは休止させる駆動制御部が設けてある事を特徴とする。      【００１１】  また、本発明のエアーマッサージ装置は、前記複数のエアーバッグの任意のエアーバッグを選択特定し、該特定エアーバッグの給排気を行わせるエアー給排気装置の制御手段（制御部）を設ける事を特徴とするものであり、また、制御手段（制御部）の駆動制御部には、前記エアーバッグの給排気稼動範囲を指定する給排気範囲設定手段に加え、前記エアーバッグの給排動作を設定する給排動作手段と、特定されたエアーバッグのみを膨縮させる給排動作位置手段と、エアーバッグに各種の運転モードに従った膨縮を行わせる給排気モード設定手段との何れかの手段が設けてある事を特徴とする。そして、この駆動制御部は、前記各手段に対応するスイッチを設けたリモートコントロールの指令により稼動するように構成した事をも特徴とし、これらは、座部と背凭れ部とを有する椅子や座部と背凭れ部と足載台を有する椅子にも適用できるものである。      【００１２】  更に本発明は、前記エアー給排気装置からの給排気を、複数のエアーバッグの内から指定したエアーバッグだけを稼動或いは休止させるエアー給排気装置の制御手段（制御部）を設ける事を特徴とするものでもあり、座部と背凭れ部とを有する椅子や座部と背凭れ部と足載台を有する椅子にも適用できるものである。      【００１３】    【作  用】  本発明のエアーマッサージ装置は、上記のように構成する事により、以下のような作用をもたらすものである。  すなわち、本発明のエアーマッサージ装置は、エアー給排気装置からのエアーバッグへの給排気を制御する制御手段（制御部）を設けるため、エアーバッグの膨縮量を適宜設定でき、エアーバッグへの給排気を少なく制御した場合には、該エアーバッグによる施療部へのソフト感覚のマッサージが行え、エアーバッグへの給排気を多く制御した場合には、該エアーバッグによる施療部へのハード感覚のマッサージが行える。      【００１４】  また本発明は、複数のエアーバッグの任意のエアーバッグを選択特定して、エアー給排気装置から該特定エアーバッグに給排気する制御手段（制御部）を設けているため、例えば、施療要望部位が背部、腰部、脚部等の場合には、その各部位に対応するよう配設されたエアーバッグのみを特定して膨縮させることができ、ポイントマッサージが行える。      【００１５】  更に本発明は、複数のエアーバッグの内から指定したエアーバッグだけを稼動或いは休止させるエアー給排気装置の制御手段（制御部）を設けているため、例えば、身長の低い使用者が施療を行いたい場合には、身長に対応するエアーバッグのみを指定してこれらを稼動させるか、若しくは、身長以外のエアーバッグを指定してこれらを休止させる事で、必要以上の範囲のエアーバッグの稼動を防止することができ、これにより、不要なエアーバッグの膨縮による無駄な待ち時間や経済的な無駄を省き効率的なマッサージが行える。      【００１６】    【発明の実施の形態】  以下、本発明に係るエアーマッサージ装置を図面に示す一実施例に基づき、これを詳細に説明する。  図１はエアーマッサージ装置の外観全体を示す斜視図であり、図２はエアーマッサージ装置の内部機構を示す概略説明図であり、図３乃至図７はエアーマッサージ装置のリモートコンロール１５により制御される制御部８の各実施例を示すブロック図である。      【００１７】  図１及び図２ではマット式のエアーマッサージ装置を示しており、これはマット部１と駆動部２を備える。マット部１はその上面の前端に枕部３を、左右側端に転落防止用のガード部４、４をそれぞれ隆起状に形成してあり、その内部に複数個（図示例では１６個）のエアーバッグＡ、Ｂを、首部・肩部・背中部・腰部・臀部・大腿部・ふくらはぎ部、及び足首部の各部に対応するようエアーバッグＡ１、Ａ２・・・Ａ８、Ｂ１，Ｂ２・・・Ｂ８のように順次並べて配備させている。      【００１８】  ４は、左右に設けられたガー��部であり、の足元側には足押さえ用のバンド５を配備している。      【００１９】  ２は駆動部であり、該駆動部２は、図２に示すように二個のエアー給排気装置６、７と、このエアー給排気装置６、７を制御するマイクロコンピュータ等からなる制御部８とを備える。      【００２０】  前記各エアー給排気装置６、７は、それぞれエアーコンプレッサー９、１０と、これらの各エアーコンプレッサー９、１０から供給されるエアーを、後述のエアーホース１１、１２を介して前記エアーバッグＡ、Ｂに所定の順序で分配して供給するロータリーバルブよりなる分配器１３、１４とで構成されている。      【００２１】  従って、前記二個のエアー給排気装置６、７は、並行して駆動させることにより複数のエアーバッグＡ、Ｂを交互に給排気して膨縮させることができる。そのために、例えば、図２のようにエアーバッグＡ、Ｂが、Ａ１、Ｂ１、Ａ２、Ｂ２、Ａ３、Ｂ３・・・・Ａ８、Ｂ８の順で交互に並べられている場合、一方のエアー給排気装置６の分配器１３は、エアーバッグＡ１・・・Ａ８にエアーホース１１を介して接続され、他方のエアー給排気装置７の分配器１４は、エアーバッグＢ１・・・Ｂ８にエアーホース１２を介して接続されるのである。      【００２２】  前記制御部８（制御手段）は、これに接続されたリモートコンロール１５（無線であっても良い）によって制御をコントロールできるようにしており、該リモートコンロール１５により、前記各エアー給排気装置６、７の給排速度や給排量及びエアーバッグＡ、Ｂを選択特定或いは指定して、前記各エアー給排気装置６、７に接続されたエアーバッグＡ、Ｂの給排稼動位置や稼働範囲、或いは給排休止範囲を任意に設定できるようにしている。      【００２３】  すなわち、前記リモートコンロール１５には、図３に示したように、エアーバッグＡ、Ｂの給排速度や給排量を設定する給排速度設定スイッチ１５１及び給排量設定スイッチ１５２を設ける。      【００２４】  また、前記リモートコンロール１５には、図４に示したように、エアーバッグＡ、Ｂを自由に選択特定して、該特定エアーバッグＡ、Ｂのみを膨縮させる選択特定スイッチ１５３を設ける。      【００２５】  更に、前記リモートコンロール１５には、図５に示したように、エアーバッグＡ、Ｂの給排気稼働範囲（或いは給排気休止範囲）を指定して、その給排稼動範囲（或いは給排休止範囲）を指示して該範囲のエアーバッグＡ、Ｂを膨縮させる範囲指定スイッチ１５４を設ける。      【００２６】  また、前記リモートコントロール１５には、図６に示したように、各種マッサージを選択できるモード選択スイッチ１５５も任意に設け、該コントロール１５によって制御部８のマイクロコンピュータに指令を行い、これに管理されたエアー給排気装置６、７にポイントモードやローリングモード及び身長設定モード等の運転モードに従ったエアーの給排気を行わせ、エアーバッグＡ、Ｂに各種運転モードによる膨縮を行わせることができる。      【００２７】  尚、前記リモートコントロール１５には、前述した給排速度設定スイッチ１５１及び給排量設定スイッチ１５２、選択特定スイッチ１５３、範囲指定スイッチ１５４、モード選択スイッチ１５５を任意に選択して設��ても良く、また図７に示したように、全スイッチを同時に設けても良い。      【００２８】  前記制御部８（制御手段）には、上記したリモートコントロール１５による指令により、前記各エアー給排気装置６、７を制御する駆動制御部８１が設けられている。      【００２９】  この駆動制御部８１には、前記給排速度設定スイッチ１５１及び給排量設定スイッチ１５２からの信号により、エアーバッグＡ、Ｂの給排動作を設定する給排動作設定手段８２の情報が送信されるよう接続して、これから送信された情報を、該駆動制御部８１で管理制御し、前記各エアー給排気装置６、７に該情報に従った動作を行わせるようにできる。      【００３０】  また、前記駆動制御部８１には、前記選択特定スイッチ１５３からの信号により、特定されたエアーバッグＡ、Ｂのみを膨縮させるための給排動作位置手段８３の情報が送信されるよう接続して、これから送信された情報を、該駆動制御部８１で管理制御し、前記各エアー給排気装置６、７に該情報に従った動作を行わせるようにできる。      【００３１】  更に、前記駆動制御部８１には、前記範囲指定スイッチ１５４からの信号により、エアーバッグＡ、Ｂの給排気稼働範囲を指定する給排気範囲設定手段８４の情報が送信されるよう接続して、これから送信された情報を、該駆動制御部８１で管理制御し、前記各エアー給排気装置６、７に該情報に従った動作を行わせるようにできる。      【００３２】  更にまた、前記モード選択スイッチ１５５からの信号により、エアーバッグＡ、Ｂに各種運転モードに従った膨縮を行わせる給排気モード設定手段８５の情報が送信されるよう接続し、これから送信された情報を、該駆動制御部８１が管理制御し、前記各エアー給排気装置６、７に該情報に従った動作を行わせるようにできる。      【００３３】  尚、前記リモートコントロール１５に、前述したような給排速度設定スイッチ１５１及び給排量設定スイッチ１５２、選択特定スイッチ１５３、範囲指定スイッチ１５４、モード選択スイッチ１５５を全部設けた場合には、図７に示したように、前記制御部８の駆動制御部８１に、給排動作設定手段８２、給排動作位置手段８３、給排気範囲設定手段８４、給排気モード設定手段８５の各手段を全接続し、各手段の情報を駆動制御部８１で管理制御して、前記各エアー給排気装置６、７に各情報に従った動作を行わせるようにできる。      【００３４】  また、前記給排気モード設定手段８５による前記ポイントモードは、例えば首部、肩部、背中部、腰部、臀部、大腿部、ふくらはぎ部、及び足首部の各部位に対応する特定の各エアーバッグＡ１・・・Ａ８，Ｂ１・・・Ｂ８を膨縮させて、繰り返し特定部位をマッサージするモードである。      【００３５】  また、前記給排気モード設定手段８５によるローリングモードは、例えば、足首部に対応するエアーバッグＢ８から首部に対応するエアーバッグＡ１までを順に膨縮させ、首部に対応するエアーバッグＡ１の膨縮が終了した後、再び前記順序で各エアーバッグＢ８〜Ａ１を膨縮させてマッサージするようにしたモードである。      【００３６】  尚、このローリングモードには、前述の例のように足首部に対応するエアーバッグＢ８から首部に対応するエアーバッグ��１までを順に膨縮させ、首部に対応するエアーバッグＡ１の膨縮が終了した後、再び前記順序で各エアーバッグＢ８〜Ａ１を膨縮させる全身往ローリングモードと、足首部に対応するエアーバッグＢ８から首部に対応するエアーバッグＡ１までを順に膨縮させ、首部に対応するエアーバッグＡ１の膨縮が終了した後、逆方向に順次各エアーバッグＡ１〜Ｂ８を膨縮させる全身往復ローリングモードと、足首部に対応するエアーバッグＢ８から腰部に対応するエアーバッグＡ５、Ｂ４までを順に膨縮させ、腰部に対応するエアーバッグＡ５、Ｂ４の膨縮が終了した後、再び前記順序で各エアーバッグＢ８〜Ａ５、Ｂ４を膨縮させる下半身往ローリングモードと、足首部に対応するエアーバッグＢ８から腰部に対応するエアーバッグＡ５、Ｂ４までを順に膨縮させ、腰部に対応するエアーバッグＡ５、Ｂ４の膨縮が終了した後、再びの逆方向の足首部に対応するエアーバッグＢ８に順次各エアーバッグＢ４、Ａ５〜Ｂ８を膨縮させる下半身往復ローリングモードと、更に、腰部に対応するエアーバッグＡ５、Ｂ４から首部に対応するエアーバッグＡ１までを順に膨縮させ、首部に対応するエアーバッグＡ１の膨縮が終了した後、再び前記順序で各エアーバッグＡ５、Ｂ４〜Ａ１を膨縮させる上半身往ローリングモードと、腰部に対応するエアーバッグＡ５、Ｂ４から首部に対応するエアーバッグＡ１までを順に膨縮させ、首部に対応するエアーバッグＡ１の膨縮が終了した後、再び逆方向の腰部に対応する各エアーバッグＡ１〜Ｂ４、Ａ５を膨縮させる上半身往復ローリングモード等がある。      【００３７】  更に前記給排気モード設定手段８５による身長設定モードでは、身長に合った個数及び部位のエアーバッグＡ、Ｂのみを膨縮させてマッサージするモードであり、例えば、使用者の身長がＢ７位置であれば、エアーバッグＡ１〜Ｂ７迄を膨縮させる設定ができ、身長がＡ８であれば、エアーバッグＡ１〜Ａ８迄を膨縮させる設定ができる。      【００３８】  尚、上記モード例では、ポイントモードやローリングモード及び身長設定モードのみの例を示しているが、これに限らず、エアーバッグＡのみ、或いはエアーバッグＢのみを膨縮させる各種上記モード設定もでき、エアーバッグＡ１〜Ａ８とエアーバッグＢ８〜Ｂ１を同時に膨縮させて、中央で交差する設定にもでき、そのモード設定は任意である。      【００３９】  尚、上記実施例ではエアー給排気装置６、７を二個使用した例を示したが、該エアー給排気装置６、７は、何れか一個でもあっても上記した同様な動作を行わせることができる。      【００４０】  また、上記実施例ではマット式のエアーマッサージ装置を示した例を示したが、座部と背凭れ部とを有する椅子にも同様に適用できるものであり、この場合には、座部及び背凭れ部の他、足載台等に複数のエアーバッグを配備させる事で、同様なエアーマッサージが行える。      【００４１】    【発明の効果】  よって、本発明によれば、エアー給排気装置からのエアーバッグへの給排気を制御する制御手段（制御部）を設けるため、エアーバッグの膨縮量を適宜設定する事ができ、また任意のエアーバッグを選択特定する事もでき、更に指定したエアーバッグだけを稼動或いは休止させる事もできるため、従来のような、エアーバッグに単純な往復膨縮マッサージか単純な一方向への膨縮マッサージしかできず、身長以上の範囲や要望以上の範囲のエアーバッグが膨縮して、これら不要箇所のエアーバッグ膨縮に要する経済的無駄のあるものとは異なり、施療部の集中ポイントマッサージや、分割マッサージの他、滑らかで連続的或いはアトランダムな膨縮による快適なマッサージを任意に設定して施療できる。【図面の簡単な説明】    【図１】  本発明のエアーマッサージ装置の一実施例を示す斜視図である。    【図２】  本発明のエアーマッサージ装置における内部機構の一実施例を示す概略説明図である。    【図３】  本発明のエアーマッサージ装置のリモートコンロールにより制御される制御部（制御手段）の実施例を示すブロック図である。    【図４】  本発明のエアーマッサージ装置のリモートコンロールにより制御される制御部（制御手段）の実施例を示すブロック図である。    【図５】  本発明のエアーマッサージ装置のリモートコンロールにより制御される制御部（制御手段）の実施例を示すブロック図である。    【図６】  本発明のエアーマッサージ装置のリモートコンロールにより制御される制御部（制御手段）の実施例を示すブロック図である。    【図７】  本発明のエアーマッサージ装置のリモートコンロールにより制御される制御部（制御手段）の実施例を示すブロック図である。    【符号の説明】  Ａ１，・・・Ａ８    エアーバッグ  Ｂ１，・・・Ｂ８    エアーバッグ    ６                エアー給排気装置    ７                エアー給排気装置    ８                制御部（制御手段）  ８１                駆動制御部  ８２                給排動作設定手段  ８３                給排動作位置手段  ８４                給排気範囲設定手段  ８５                給排気モード設定手段